(57)【特許請求の範囲】
【請求項１】
板状導電性部材の一面に、凹状の給電導波路およびこの給電導波路から給電される複数の凹状の放射用導波路が平行に設けられたベース体に、各放射用導波路に対応しその長手方向に沿って放射用スロットの列が設けられたスロット板を密着させた導波管スロットアレーアンテナであって、その密着構造が、前記スロット板は前記ベース体に、ベース体の凹部以外の部分の平面で接着剤又は接着シートで接着されるとともに、スロット板の該接着箇所に予め設けられていた導電性バンプが接着剤層又は接着シートを貫通してベース体に接触導通していることを特徴とする導波管スロットアレーアンテナ。
【発明の詳細な説明】
【０００１】
【発明の属する技術分野】
本発明は、マイクロ波帯、ミリ波帯等の高周波帯で用いられる導波管スロットアレーアンテナの技術分野に属する。
【０００２】
【従来の技術】
図２に従来の導波管スロットアレーアンテナの斜視図を示す。（ｂ）のベース体５には手前側の縁に沿って溝状の給電導波路１が設けられ、この給電導波路１から多数の溝状の放射用導波路３が延びている。給電導波路１から各放射用導波路３へ連なる部分にはＴ分岐部２が形成され、給電導波路１の、Ｔ分岐部２と反対側の側壁には、各Ｔ分岐部２と対向するように誘導性壁４が設けられている。この誘導性壁４とＴ分岐部２により、給電導波路１を伝搬して来た電磁波が各放射用導波路３へ給電されることになる。
【０００３】
図２（ａ）はスロット板９であり、アルミ等の金属板が用いられたり、金属箔を誘電体にプリントしたもの等が用いられている。このスロット板９を、取付穴８とベース体５の取付穴６とを合わせてベース体５にねじ等で取り付けたときに放射用導波路３に対応する位置に電磁波放射受波用のスロット７が列状に設けられている。図２の例では、スロット板９はねじでベース体５に取付けられているが、他に、ねじではなく導電性接着剤或いは導電性接着シートで取付けられるものもある。
【０００４】
図３は図２の（ｂ）の一部拡大図である。給電導波路１の途中に設けられた給電孔１０の下方に導波管が接続され或いは同軸導波管変換器が接続され、その先に接続された送受信装置から送信電磁波が送られて来て給電導波路１へ入り、そこから各放射用導波路３へ分配され、スロット板９のスロット７から空間へ放射される。空間からの受波の場合は逆の流れになる。
【０００５】
【発明が解決しようとする課題】
しかしながら、スロット板とベース体の取付けにおいて、ねじ止めの場合には、図２のようにアンテナの周囲にねじしろが必要となり、その分だけアンテナが大きくなってしまうという問題がある。
【０００６】
また、導電性接着剤や導電性接着シートを用いる場合は、ねじしろはなくて済むが、年月の経過により導電率の劣化が起こるため、アンテナとしての性能の劣化をもたらすという問題がある。
【０００７】
本発明の目的は、上記従来技術の問題点に鑑みて、ねじ止めによらず且つ導電性接着剤や導電性接着シートを用いない密着構造を有する導波管スロットアレーアンテナを提供することにある。
【０００８】
【課題を解決するための手段】
上記の目的を達成するために、本発明の導波管スロットアレーアンテナは次のような構成を有する。
即ち、板状導電性部材の一面に、凹状の給電導波路およびこの給電導波路から給電される複数の凹状の放射用導波路が平行に設けられたベース体に、各放射用導波路に対応しその長手方向に沿って放射用スロットの列が設けられたスロット板を密着させた導波管スロットアレーアンテナであって、その密着構造が、前記スロット板は前記ベース体に、ベース体の凹部以外の部分の平面で接着剤又は接着シートで接着されるとともに、スロット板の該接着箇所に予め設けられていた導電性バンプが接着剤層又は接着シートを貫通してベース体に接触導通していることを特徴とする導波管スロットアレーアンテナである。
【０００９】
【発明の実施の形態】
本発明の実施の形態は、スロット板とベース体を取付けるのにねじ止めは用いず、接着剤或いは接着シートを用い、スロット板とベース体との導通は、スロット板における接着箇所に予め設けられた導電性バンプが、スロット板とベース体の接着の際の加圧によって、接着剤層又は接着シートを貫通してバンプの先端がベース体に接触することにより得られるようにしたというものである。
【００１０】
【実施例】
以下、本発明の実施例を図面を参照して説明する。
図１は本発明の実施例における、放射用導波路３の長手方向に対する直角断面の部分図である。（ａ）はスロット板１３とベース体１４が一体化された断面図である。スロット板１３は接着剤層又は接着シート１２によってベース体１４の境界堤１５の上面に接着されている。そしてスロット板１３の下面金属面と境界堤１５との導通はバンプ１１によってとられている。
【００１１】
バンプ１１は、導電性樹脂のような導電性物質からなっており、予めスロット板１３の下面金属面に設けられている。そして、スロット板１３をベース体１４に接着した際に、バンプ１１の下方先端が接着剤層又は接着シート１２を貫通してベース体１４の境界堤１５の上面に接することによりスロット板１３とベース体１４間の導通が得られることになる。
【００１２】
バンプ１１が導電性樹脂である場合には、その先端が境界堤１５に押し付けられた際に、先端が潰れて拡がり接触面が広くなり、より良い導通状態が得られる。
【００１３】
図１の例では、隣接する放射用導波路３同士を画する境界堤１５での接着が示されているが、接着およびバンプ１１による導通は、何も境界堤１５に限られるものではなく、スロット板１３をベース体１４に位置決めして重ねた際、面接触の得られる箇所ではいずれも接着およびバンプによる導通が可能である。
【００１４】
図１の（ｂ）はスロット板１３とベース体１４がまだ接着していない状態を示す図である。
スロット板１３の下面金属面の接着予定箇所には、印刷等により先端の尖ったバンプ１１が予め設けられている。スロット板１３は金属板のみの場合もあるし誘電体基板に金属箔をプリントしたものである場合もある。
【００１５】
一方、ベース体１４の接着予定箇所、図の例では境界堤１５の上面には、接着剤層が印刷されるか接着シートが貼付されている。
そして、スロット板１３をベース体１４に位置決めして押し付けることにより、スロット板１３がベース体１４に接着されるとともに導電性のバンプ１１の尖端が接着剤層又は接着シート１２を貫通してベース体に接することにより、スロット板１３とベース体１４間の導通が得られることになる。
【００１６】
このように、スロット板１３とベース体１４との間で当然必要な接触面を利用して接着剤又は接着シートによって両者を接着することにより、周囲ねじ止めは不要となり、従ってねじしろが不要となり、また接着箇所においてバンプ１１によってスロット板１３とベース体１４の間の導通を得るようにしているので接着剤は導電性のものである必要はなく、導電率の経時劣化を問題にする必要がなくなる。
【００１７】
【発明の効果】
以上説明したように、本発明の導波管スロットアレーアンテナは、スロット板とベース体との取付けを、放射用導波路の境界堤の上面などスロット板の下面と平面接触する部分を利用して接着剤或いは接着シートで接着するようにし、スロット板とベース体との導通はスロット板下面金属面のうちベース体との接着予定箇所に予め導電性バンプを印刷などにより設けておき、スロット板をベース体に加圧接着する際、導電性バンプが接着剤層或いは接着シートを貫通して尖端がベース体に接触して、導通が得られるようにしたので、従来のねじ止めの場合のような周囲のねじしろが不要となり、その分だけアンテナの小型化を図れるとともに、スロット板とベース体との導通が導電性バンプによって得られるので、接着剤や接着シートは導電性である必要がなくその導電性の経時劣化の問題がなくなるという利点がある。
【図面の簡単な説明】
【図１】本発明の実施例における、放射用導波路の長手方向に対し直角断面の部分図である。
【図２】従来の導波管スロットアレーアンテナの斜視図である。
【図３】図２の（ｂ）の一部拡大図である。
【符号の説明】
１  給電導波路
２  Ｔ分岐部
３  放射用導波路
４  誘導性壁
５  ベース体
６  取付穴
７  スロット
８  取付穴
９  スロット板
１０  給電孔
１１  バンプ
１２  接着剤層又は接着シート
１３  スロット板
１４  ベース体
１５  境界堤
【図１】
0003650083.tif 000002
【図２】
0003650083.tif 000003
【図３】
0003650083.tif 000004